(57)【要約】【課題】宅地内に埋設された配管設備に雨水を貯溜することで河川や下水道施設への負荷を低減させると共に、その貯溜した雨水を有効利用することのできる、既設の配管設備にも容易に施行可能な雨水貯溜配管構造を提供する。【解決手段】宅地内に埋設される排水桝１の流入口１ｂと流出口１ｃにそれぞれ排水管３，３が接続された雨水貯溜配管構造において、排水桝１の桝本体１ａ内部の壁面又は流入口１ｂに、流入口１ｂと流出口１ｃを隔てる堰２が設けられており、該堰２の上端が流入口１ｂよりも高い位置にある構成とする。排水桝１の流入口１ｂと流出口１ｃを堰２によって隔てることで、雨水が堰２の上端に達するまで排水桝１内と排水桝１より上流側の配管３内に貯溜されて、河川や下水道施設への負荷を低減することができる。しかも、排水桝１のみの交換、或いは、既設の排水桝の内壁面又は流入口に堰２を後付けするという簡易な施行で実施することができる。【選択図】図１
2014009490.tif 000002
【特許請求の範囲】
【請求項１】
宅地内に埋設される排水桝の流入口と流出口にそれぞれ排水管が接続された雨水貯溜配管構造において、
上記排水桝の桝本体内部の壁面又は流入口に、流入口と流出口を隔てる堰が設けられており、該堰の上端が流入口よりも高い位置にあることを特徴とする雨水貯溜配管構造。
【請求項２】
上記堰が脱着自在に設けられていることを特徴とする請求項１に記載の雨水貯溜配管構造。
【請求項３】
流入口と流出口が、桝本体のなだらかな一続きの底面で繋がっており、該なだらかな一続きの底面に上記堰が設けられていることを特徴とする請求項１又は請求項２に記載の雨水貯溜配管構造。
【請求項４】
桝本体の流入口と流出口の間に泥溜め部が設けられており、該泥溜め部の底面又は側面に上記堰が設けられていることを特徴とする請求項１又は請求項２に記載の雨水貯溜配管構造。
【請求項５】
請求項１に記載の雨水貯溜配管構造に用いられる排水桝であって、桝本体と、１以上の流入口と１つの流出口とを備え、流入口と流出口は、桝本体のなだらかな一続きの底面で繋がっており、該なだらかな一続きの底面に、流入口と流出口を隔てる堰が設けられていることを特徴とする排水桝。
【請求項６】
請求項１に記載の雨水貯溜配管構造に用いられる排水桝であって、桝本体と、１以上の流入口と１つの流出口とを備え、桝本体の流入口と流出口の間に泥溜め部が設けられており、該泥溜め部の底面又は側面に、流入口と流出口を隔てる堰が設けられていることを特徴とする排水桝。
【発明の詳細な説明】
【技術分野】
【０００１】
本発明は、集中豪雨時の河川や下水道施設への負荷を低減させると共に、配管内に貯溜した雨水を有効利用できるようにした雨水貯溜配管構造とそれに用いる排水桝に関するものである。
【背景技術】
【０００２】
近年、道路や空き地（駐車場等）の舗装化が急速に進み、未舗装部分が殆どない都市化の進んだ地域が増えてきている。このような地域では、雨水が殆ど地中に浸透することなく、道路の側溝や下水道排水管などを通じて河川へ流れ込むため、短時間で河川の容量を超えて所謂、都市型洪水を引き起し、社会問題となってきている。その一方で、乾期には雨が殆ど降らず、各地で取水制限が実施されている実態がある。これらの問題は、地球温暖化が要因とも言われる昨今の異常気象に伴い、これから益々深刻化していくものと思われる。
【０００３】
このような問題を緩和するため、宅地内に埋設された配管設備に雨水を一定量貯溜することで、河川や下水道施設への負荷を低減させると共に、その貯溜した雨水を有効利用する試みが実施されている。
【０００４】
その一つに、宅地内に埋設された最終雨水桝の流出口と公共用雨水桝との間に、雨水を一定量貯溜可能なオーバーフロー部材を装着した住宅用雨水貯溜システムが提案されている（特許文献１）。
【０００５】
この住宅用雨水貯溜システムは、オーバーフロー部材のオーバーフロー流入口の下縁を、宅地内の集水経路よりも上方に位置させることで、最終雨水桝内と宅地内の集水経路内に雨水を一定量貯溜可能にしたものである。
【先行技術文献】
【特許文献】
【０００６】
【特許文献１】特開２００６−１６９７７４号公報
【発明の概要】
【発明が解決しようとする課題】
【０００７】
しかしながら、上記特許文献１の住宅用雨水貯溜システムは、雨水を貯溜する必要がなくなって元の配管設備に戻す場合に、雨水桝だけでなく桝間の排水管の部分の地面を掘り起こす必要があり、費用が嵩むものであった。逆に、既設の配管設備にオーバーフロー部材を装着する場合にも、最終雨水桝から公共用雨水桝までの間の地面を掘り起こす必要があるので、既設の宅地内の集水経路に当該発明を実施するには、施行が大掛かりなものとなり、費用も嵩むものであった。
【０００８】
本発明は上記の問題に鑑みてなされたもので、その解決しようとする課題は、宅地内に埋設された配管設備に雨水を貯溜することで河川や下水道施設への負荷を低減させると共に、その貯溜した雨水を有効利用することのできる雨水貯溜配管構造を、既設の配管設備に簡易な施行で実施可能で、またその逆に、雨水を貯溜する必要がなくなった場合には容易に元の配管設備に戻すことができる雨水貯溜配管構造及びそれに用いる排水桝を提供することにある。
【課題を解決するための手段】
【０００９】
上記目的を達成するため、本発明に係る雨水貯溜配管構造は、宅地内に埋設される排水桝の流入口と流出口にそれぞれ排水管が接続された雨水貯溜配管構造において、上記排水桝の桝本体内部の壁面又は流入口に、流入口と流出口を隔てる堰が設けられており、該堰の上端が流入口よりも高い位置にあることを特徴とするものである。
【００１０】
本発明の雨水貯溜配管構造においては、上記堰が脱着自在に設けられていることが好ましい。また、流入口と流出口が、桝本体のなだらかな一続きの底面で繋がっており、該なだらかな一続きの底面に上記堰が設けられていたり、桝本体の流入口と流出口の間に泥溜め部が設けられており、該泥溜め部の底面又は側面に上記堰が設けられていることが好ましい。
【００１１】
次に、上記雨水貯溜配管構造に用いられる排水桝は、桝本体と、１以上の流入口と１つの流出口とを備え、流入口と流出口は、桝本体のなだらかな一続きの底面で繋がっており、該なだらかな一続きの底面に、流入口と流出口を隔てる堰が設けられていることを特徴とするものである。
【００１２】
本発明の排水桝においては、桝本体と、１以上の流入口と１つの流出口とを備え、桝本体の流入口と流出口の間に泥溜め部が設けられており、該泥溜め部の底面又は側面に、流入口と流出口を隔てる堰が設けられているものも好ましい。
【発明の効果】
【００１３】
本発明の雨水貯溜配管構造は、宅地内に埋設される排水桝の流入口と流出口を堰によって隔てているので、流入口より流入してきた雨水は、直ぐに流出口から流出することなく、雨水が堰の上端に達するまで排水桝内と排水桝より上流側の配管内に貯溜される。堰の上端は流入口よりも高い位置にあり、排水桝内と排水桝より上流側の配管内に相当量の雨水を貯溜することができるので、河川や下水道施設への負荷を低減することができる。そして、配管内に貯溜した雨水は、植物の水やりや車の洗車等に有効利用することができるので、水道費が節約されると共に乾期の水不足に備えることができる。しかも、本発明は、このような優れた効果を奏するにも拘わらず、従来のように、最終雨水桝から公共用雨水桝までの間の地面を掘り起こす作業は必要でなく、排水桝のみの交換、或いは、既設の排水桝の内壁面又は流入口に堰を後付けするという簡易な施行で実施することができるので、極めて実現性が高い。
一方、雨水を貯溜する必要がなくなった場合は、流入口と流出口を隔てている堰のみを取り除けば、容易に元の配管設備に戻すこともできる。
【００１４】
また、上記堰が脱着自在に設けられている雨水貯溜配管構造は、排水桝のメンテナンスの際、堰を取り外すことで、上流側からの水流によって排水桝内に滞溜した異物を容易に除去することができる。そして、雨水を貯溜する必要がなくなった場合は、簡単に堰を取り除くこともできる。
【００１５】
更に、流入口と流出口が、桝本体のなだらかな一続きの底面で繋がっており、該なだらかな一続きの底面に上記堰が設けられている雨水貯溜配管構造は、堰によって堰止められていた異物が、なだらかな一続きの底面に滞溜するので、異物の除去作業が容易となる。
【００１６】
また、桝本体の流入口と流出口の間に泥溜め部が設けられており、該泥溜め部の底面又は側面に上記堰が設けられている雨水貯溜配管構造は、堰によって堰止められていた異物が泥溜め部に滞溜することになるので、異物の除去が容易になると共にメンテナンスサイクルを伸ばすこともできる。
【００１７】
次に、上記の雨水貯溜配管構造に用いられる本発明の排水桝は、流出口より流入してきた雨水は、直ぐに流出口から流出することなく、雨水が堰の上端に達するまで排水桝内に貯溜されるので、河川や下水道施設への負荷を低減させると共に、配管内に貯溜した雨水を有効利用することができるものである。そして、流入口より雨水と共に流入してきた異物は、堰によって堰止められて、なだらかな一続きの底面に異物が滞溜するので、異物の除去作業が容易となる。
一方、雨水を貯溜する必要がなくなった場合は、この排水桝を堰のない別の排水桝に取り替えたり、或いは、流入口と流出口を隔てている堰を除去するだけで、容易に元の配管設備に戻すこともできる。
【００１８】
また、桝本体と、１以上の流入口と１つの流出口とを備え、桝本体の流入口と流出口の間に泥溜め部が設けられており、該泥溜め部の底面又は側面に、流入口と流出口を隔てる堰が設けられている排水桝は、上記の排水桝と同様に、堰よりも上流側の配管設備に雨水を貯溜することで、河川や下水道施設への負荷を低減することができる。この排水桝は、泥溜め部を有しているので、流入口より雨水と共に流入してきた異物は該泥溜め部に滞溜する。従って、異物の除去が容易になると共にメンテナンスサイクルを伸ばすこともできる。
【図面の簡単な説明】
【００１９】
【図１】本発明の一実施形態に係る雨水貯溜配管構造を示す概略斜視図である。
【図２】同配管構造の要部を示す説明図である。
【図３】本発明の一実施形態に係る排水桝を示す平面図である。
【図４】同排水桝の縦断面図である。
【図５】本発明の他の実施形態に係る排水桝を示す平面図である。
【図６】同排水桝の縦断面図である。
【図７】本発明の更に他の実施形態に係る排水桝を示す平面図である。
【図８】本発明の更に他の実施形態に係る排水桝を示す平面図である。
【図９】本発明に用いる堰の他の実施形態を示す斜視図である。
【図１０】本発明の更に他の実施形態に係る排水桝を示す断面図である。
【発明を実施するための形態】
【００２０】
以下、図面を参照して本発明の具体的な実施形態を詳述する。
【００２１】
本発明の雨水貯溜配管構造は、図１、図２に示すように、宅地内に埋設された排水桝１の流入口１ｂと流出口１ｃにそれぞれ排水管３，３が接続された配管構造において、その排水桝１よりも上流側に配管された排水管３内及び雨水桝４の内部に雨水を貯溜することで、集中豪雨時の河川や下水道施設への負荷を低減させると共に、その配管内に貯溜した雨水を有効利用できるようにしたものである。
【００２２】
この排水桝１は、図３、図４に示すように、桝本体１ａの左右両端部に筒状の流入口１ｂと流出口１ｃが一体に設けられていると共に、桝本体１ａの上端部に円形の開口を有する点検口１ｄが突設された略逆Ｔ字型の排水桝１であって、流入口１ｂには上流側の排水管３が、流出口１ｃには下流側の排水管３がそれぞれ嵌入されるようになっている。また、点検口１ｄには、直接蓋体（不図示）が載置されたり、地表までの高さを調整する高さ調整用アジャスター（不図示）が嵌入されるようになっている。
尚、この排水桝１には、後述する排水桝１０のような泥溜め部１ｅがないため、点検口１ｄに載置される蓋体は、雨水が排水桝１内部に流入するようにした孔開きタイプの蓋体よりも、孔無しタイプの蓋体が好ましい。
【００２３】
上記排水桝１の流入口１ｂと流出口１ｃは、図４に示すように、半円筒状のなだらかな一続きの底面１０ａによって繋がっている。この流入口１ｂと流出口１ｃを繋げるなだらかな底面１０ａは、宅地内に埋設された排水管３の流れ勾配に合わせた流れ勾配が付けられており、流入口１ｂより流入してきた雨水はスムーズに流出口１ｃへ流れるようになっている。そして、この底面１０ａには、本発明の最大の特徴である堰２の下端部を嵌入するための凹入部１１ａが設けられている。この凹入部１１ａは、雨水の進行方向に対して直交する凹型の溝部を形成したもので、桝本体１ａの底面１０ａより側面上部に至るまで一続きに設けられたものである。
尚、なだらかな一続きの底面１０ａは、必ずしも流れ勾配が必要なものではなく、流れ勾配のない底面１０ａを有する排水桝１であってもよい。
【００２４】
上記排水桝１に設けられる堰２は、その下端部が排水桝１の底面１０ａの形状に合わせて半円状に形成された板体であって、図３、図４に示すように、底面１０ａから側面上部にかけて設けられた一続きの凹入部１１ａに嵌入されて、脱着自在に取付けられている。この堰２を排水桝１に設けることで、流入口１ｂと流出口１ｃとが隔てられて、流入口１ｂより排水桝１内部に流入してきた雨水は、直ぐに流出口１ｃから流出することなく堰２によって堰止められて、雨水が堰２の上端に達するまで排水桝１内の堰２より上流側空間と排水桝１より上流側に位置する排水管３及び雨水桝４の内部に貯溜されるようになっている。従って、この堰２は、その上端が排水桝１の流入口１ｂよりも高い位置にある必要があり、本実施形態では、より貯溜量を増やすために、流入口１ｂの上縁よりも高く、且つ、図２の仮想線で示すように、竪樋６と排水管３（横排水管）の接続箇所であって一番上流側に配管された排水管３の上縁ＵＬよりも高く位置するように設けられている。
尚、この堰２は、配管内に雨水を貯溜している状態では、常に水圧が作用するので、水流によって流されてしまう可能性もある。これを防止するため、例えば、鎖の一端を堰２に取付けると共に他端を蓋に取付けるなどして、堰２が流出してしまうのを防止する流出防止手段を設けることが好ましい。
【００２５】
また、上記堰２は、排水桝１の内部に雨水をより多く貯溜できるようにするため、排水桝１を堰２により２分割したと仮定すると、堰２より流入口１ｂ側の体積が、堰２より流出口１ｃ側の体積よりも大きくなる位置に設けられている。即ち、図３、図４に示すように、流入口１ｂから流出口１ｃまでの中点よりも、流出口１ｃ側に凹入部１１ａを設け、その凹入部１１ａに堰２を嵌入することで、流入口１ｂ側の体積が、流出口１ｃ側の体積よりも大きくなるようにしている。上記のように、堰２の上端を、一番上流側に配管された排水管３の上縁ＵＬよりも高く位置させると共に、流入口１ｂ側の体積を流出口１ｃ側の体積より大きくすることで、相当量の雨水を宅地内の配管設備に貯溜することができるようになり、河川や下水道施設への負荷を低減することができる。また、雨水に混じった異物は堰２の流入口１ｂ側で堰き止められて堆積するので、流入口１ｂ側の体積を大きくすることで排水桝１内部のメンテナンスも容易となる。そして、堰２によって堰止められた雨水は、体積の大きい流入口１ｂ側にポンプやバケツなどの取水手段を設けることで容易に取水できるようになり、その取水した雨水を植物の水やりや車の洗車等に有効利用することができる。この取水手段は雨水桝４に設けてもよいが、最も下流側に位置する排水桝１に設けることで貯溜した雨水全てを効率よく利用することができるようになる。また、堰２を設けた桝よりも上流側の宅地内に埋設された全ての桝にポンプやバケツなどの取水手段を設けると、宅地内のどこからでも容易に貯溜した雨水を取水できるようになるので好ましい。
【００２６】
尚、堰２の水密性を向上させるために、堰２と凹入部１１ａとの間に止水パッキン（不図示）を介在させることが好ましい。また、堰２にオリフィスを形成し、貯溜した雨水を徐々に排出するようにしてもよく、その際は、オリフィスに脱着自在な栓を取付けることが好ましい。更に、図９に示すように、堰２を外枠２ａと中板２ｂからなる二重構造とし、中板２ｂを引き上げることで流出する隙間を作ってもよい。このような堰２は中板２ｂの引き上げる高さによって流出量を調整することができる。
【００２７】
本実施形態では、上記堰２は、排水桝１の桝本体１ａの底面１０ａに設けられているが、水密的且つ脱着自在に流入口１ｂと流出口１ｃを隔てられるのであれば桝本体１ａの底面１０ａに限定されるものではなく、桝本体１ａ内部の壁面であれば、例えば、桝本体１ａ内部の側面や、底面１０ａと側面のコーナー部分など、どの箇所に設けてもよい。また、この堰２は、桝本体１ａ内部の壁面だけでなく、流入口１ｂに設けてもよい。流入口１ｂに堰２を設ける場合、堰２の形状は、流入口１ｂと流出口１ｃを隔てるものであればどのようなものでも構わないが、例えば、図示はしないが、９０°エルボ継手が流入口１ｂと流出口１ｃを隔てる堰２として好適に用いられる。９０°エルボ継手を堰２として用いる場合は、エルボ継手の一方の接続口を排水桝１の流入口１ｂに、エルボ継手のもう一方の接続口が上方へ向くようにして、エルボ継手を回動自在に接続する。このように、エルボ継手を堰２として用いた排水桝１は、エルボ継手の一方の接続口が流入口１ｂの上縁よりも高い位置にあるので、貯溜量を確保することができ、もう一方の接続口を下に向けることで、上流側の排水管３からの水流によって異物を除去することができるので、メンテナンス性に優れる。
【００２８】
上記構成の排水桝１の材質については特に限定されるものではないが、耐久性や施工性を考慮すると、塩化ビニル樹脂製やポリプロピレン製の排水桝１が好適に用いられる。また、上記堰２の材質も特に限定されるものではないが、水に浮いてしまうと不具合を生じるので、水よりも比重の大きい材質の必要がある。
【００２９】
以上のような構成の排水桝１が埋設される宅地内には、図１に示すように、複数の雨水桝４と、それらを連結する排水管３が埋設されている。この排水管３の上流側端部は竪樋６の下端部に接続されており、宅地内に降った雨水は、家屋７の屋根７ａを流下して屋根７ａの周囲に設けられた軒樋５に流入し、竪樋６を経由して排水管３に流入するようになっている。また、雨水桝４の上端開口を覆う蓋体には、多数の浸透孔が穿孔されているので、宅地内の庭に降った雨水もその浸透孔を通して雨水桝４に流入し排水管３を流下するようになっている。この雨水桝４は、ポリプロピレン製の泥溜め部を有するバケツ型のものであって、側面にホールソーなどで孔を穿孔することで流入口と流出口が形成されており、その流入口と流出口にそれぞれ上流側の排水管３と下流側の排水管３が接続されている。そして、このような複数の雨水桝４の中で一番下流側に埋設された雨水桝４と雨水排水本管９とを繋ぐ排水管３の経路途中に上記排水桝１が設置されている。この箇所に排水桝１を設置すると、排水桝１より上流側の配管設備、即ち、宅地内の配管設備の略全域が雨水を貯溜する貯溜スペースとなるので、相当量の雨水が貯溜可能となって、河川や下水道施設への負荷を低減して都市型洪水の軽減に寄与することができる。勿論、配管設備が満水になると、雨水は堰２の上端を乗り越えて下流側の排水管３に流入し、雨水排水本管９へと流出していくので、宅地内の配管設備が雨水でパンクすることもない。
【００３０】
一方、雨水を貯溜する必要がなくなった場合は、雨水を堰止めている堰２を排水桝１の凹入部１１ａから取外す（引き抜く）だけの簡易な作業で元の配管設備に戻すことができる。
尚、堰２が排水桝１と一体に設けられている場合は、その堰２を削り取ったり孔を開けることで、元の配管設備に戻せばよいが、より簡易な作業で元の配管設備に戻すために、例えば、図１０に示すような排水桝１３が好ましい。この図１０に示す排水桝１３は、堰２が桝本体１ａと一体に設けられたタイプの排水桝１３であって、その堰２に孔２ｃが穿孔されたものである。この孔２ｃは、その下端が桝本体１ａの底面１０ａと同じ高さになるよう、堰２の下端部に穿孔された円孔で、通常は、この孔２ｃに、脱着や開閉が自在な閉塞部材２ｄが取付けられている。この閉塞部材２ｄは、堰２の片側から取付けたり、堰２の両側から堰２を挟み込むように取付けたりすることで、孔２ｃを閉塞するものであるが、堰２の片側に閉塞部材２ｄを取付ける場合は、上流側から取付けることが好ましい。この孔２ｃと閉塞部材２ｄの間には止水部材（不図示）を介在させることが好ましく、閉塞部材２ｄ自体がゴム栓などで形成されていると、止水部材を兼ねることになるので、部品点数が削減できてより好ましい。閉塞部材２ｄは水流によって流されたり紛失したりすることを防止するために、堰２や排水桝１３に鎖などで繋いでおくことが好ましい。このような堰２が一体に設けられた排水桝１３は、雨水を貯溜したいときは、孔２ｃに閉塞部材２ｄを取付けておけばいいし、雨水を貯溜する必要がなくなった場合は、閉塞部材２ｄを取外すだけで、元の配管設備に戻すことができる。また、メンテナンス作業も、孔２ｃの下端が桝本体１ａの底面１０ａと同じ高さにあるので、閉塞部材２ｄを取外すと、底面１０ａに滞溜した異物も水流によって孔２ｃから下流側に流されるので、容易に行うことができる。
【００３１】
尚、この排水桝１は、上記のように、泥溜め部が設けられたものではないため、排水桝１より下流側であって雨水排水本管９までの経路途中に泥溜め部が設けられた雨水桝４を設置してもよい。この宅地内の最終経路に設置された雨水桝４の泥溜め部には、把手付きのバスケットが収容されていることが好ましく、このような雨水桝４は、排水桝１の堰２を取外した際に、堰２によって堰止められた異物が下流側へと流れて、その雨水桝４のバスケットに集積されるので、点検口よりバスケットを取出すだけで内部の清掃が可能となり、メンテナンス性に優れる。
【００３２】
図５は本発明の他の実施形態に係る排水桝を示す平面図、図６は同排水桝の断面図である。
【００３３】
前述した実施形態の排水桝１は、泥溜め部のないストレートタイプの排水桝１であったが、この実施形態の排水桝１０は、泥溜め部１ｅを有するバケツ型の排水桝である。即ち、この排水桝１０は、桝本体１ａの側面に筒状の流入口１ｂと流出口１ｃがそれぞれ一体に設けられており、上端部に円形開口の点検口１ｄが設けられると共に、下端部に泥溜め部１ｅが設けられたものである。そして、泥溜め部１ｅの底面１０ａには、凹入部１１ａが突設されており、その凹入部１１ａに堰２が嵌入されている。この堰２は、前述した実施形態の排水桝１と同様に、その上端が流入口１ｂの上縁よりも高く、且つ、一番上流側に配管された排水管３の上縁ＵＬよりも高い位置にある。従って、この排水桝１０も、堰２よりも上流側の排水桝１０内と排水桝１０より上流側に位置する排水管３及び雨水桝４の内部に雨水が貯溜されるようになっている。
尚、本実施形態のようなバケツ型の排水桝１０の場合、桝本体１ａの側面に、ホールソーなどで孔を穿孔することで流入口１ｂと流出口１ｃを設けてもよい。その際は、排水管３と流入口１ｂと流出口１ｃとの間に止水パッキンを介在させることが好ましい。
【００３４】
上記構成の排水桝１０は、宅地内の最終桝として一番下流側に設置される。この排水桝１０は泥溜め部１ｅを有するので、排水桝１０の下流側に泥溜め部付きの雨水桝４を設置する必要はなく、また、排水桝１０の点検口１ｄに載置する蓋体は、宅地内に降った雨水も流入する孔開きタイプのものが好ましい。そして、排水桝１０の泥溜め部１ｅの堰２よりも上流側の空間に、平面視略半円形の把手付きバスケットを取付けると、異物除去の作業性が飛躍的に向上するので好ましい。
【００３５】
前述した実施形態の排水桝１，１０は、いずれも流入口１ｂが１つだけ設けられたタイプのものであったが、流入口１ｂは１つに限定されるものではなく、図７に示すように、流入口１ｂが２つ設けられた排水桝１１や、図８に示すように、流入口１ｂが３つ設けられた排水桝１２であってもよい。
【００３６】
流入口１ｂが２つ設けられた排水桝１１の場合、図７の（ａ）に示すように、雨水の進行方向（排出される方向）に対して直角な堰２を時計周りに４５°回転させて流入口１ｂと流出口１ｃを隔ててもよいし、図７の（ｂ）に示すように、一枚の板体をその中点で時計周りに４５°屈曲させた堰２を用いて流入口１ｂと流出口１ｃを隔ててもよい。
【００３７】
また、流入口１ｂが３つ設けられた排水桝１２の場合、図８の（ａ）に示すように、略く字形の堰２によって３つの流入口１ｂと流出口１ｃを隔ててもよいし、図８の（ｂ）に示すように、略Ｘ型の堰２によって３つの流入口１ｂと流出口１ｃを隔ててもよい。
【００３８】
以上、種々の形態の雨水排水配管構造を説明してきたが、宅地面積が狭い場合やその形状が特殊な場合などは、雨水桝４は必ずしも埋設する必要はなく、家屋７の屋根７ａに降った雨水が流下する竪樋６と、宅地内に埋設される排水管３と、雨水を堰止める堰２が設けられた排水桝１が本発明を実施するための最低限の構成であり、その他の構成は、例えば、堰２が取り付け可能な桝を宅地内の配管設備の複数箇所に設置し、常時は堰２を取り外しておいて、雨水貯溜が必要となったときだけ、堰２を任意の桝に取り付ければ、必要なときに必要な量だけ雨水貯溜と取水ができる雨水貯溜配管構造とするなど、種々の設計変更を許容するものである。
【符号の説明】
【００３９】
１，１０，１１，１２，１３  排水桝
１ａ  桝本体
１０ａ  底面
１１ａ  凹入部
１ｂ  流入口
１ｃ  流出口
１ｄ  点検口
１ｅ  泥溜め部
２    堰
２ａ  外枠
２ｂ  中板
２ｃ  孔
２ｄ  閉塞部材
３    排水管
４    雨水桝
５    軒樋
６    竪樋
７    家屋
７ａ  屋根
８    継手
９    雨水排水本管
【図１】
2014009490.tif 000003
【図２】
2014009490.tif 000004
【図３】
2014009490.tif 000005
【図４】
2014009490.tif 000006
【図５】
2014009490.tif 000007
【図６】
2014009490.tif 000008
【図７】
2014009490.tif 000009
【図８】
2014009490.tif 000010
【図９】
2014009490.tif 000011
【図１０】
2014009490.tif 000012